(57)【特許請求の範囲】
【請求項１】
基台と、該基台上に設置され体位変換を目的に幅方向に沿って三以上に分割されたフレーム体を具備するベッドにおいて、該分割されたフレーム体同士の連結箇所の一つの下部或いはその近傍位置である第一箇所と、該基台上にあって該第一箇所と高さのほぼ等しい第二箇所とが、主杆体を介してそれぞれ可回動に連結されており、且つ該第一箇所と、該第一箇所よりも高さ位置が低く該基台の長手方向に配置され該基台に固定されたレール上を摺動可能なローラーとをそれぞれ可回動に連結するスライド杆体が配置され、更に該ローラーを該レールに沿って前後動させる駆動体が設けられており、また該スライド杆体は折曲点を有する「へ」字状のものであって、該第一箇所との連結部はこの折曲点近傍であり、該第一箇所を折曲点として延出する部分である該スライド杆体のレバー部は、主杆体が水平位置にあるとき下方向に傾斜しており、該ローラーを移動させて該レバー部が該主杆体よりも上方に位置する段階以降は、該フレーム体の一つに接しその傾斜角度を変更させるものであることを特徴とするベッド。
【発明の詳細な説明】
【技術分野】
【０００１】
本発明は、使用者の体位を変換させるために用いて好適なベッドの構造、特に頭位置、つま先位置に比して心臓位置を低くすることを目的とする新規なベッドの構造に関するものである。
【背景技術】
【０００２】
不使用時又は就寝時には平坦なマットレス部分を、必要に応じ折曲させることができ、食事や読書のための姿勢をとりやすくしたり、体機能の回復或いはむくみ・だるさの解消等に貢献する、という機能を備えたベッドが多種多数存在している。
【０００３】
このマットレス部分の折曲によるベッド面の位置変換の形態は、体躯の左右方向の傾斜を変換させるもの（強制的に寝返りをさせるようなイメージの傾斜）と、膝や腰の位置で体躯を折曲させるもの（強制的に上体を起こしたり膝を曲げてやるようなイメージの傾斜）がある。このうち体躯を折曲させるという機能を有するベッドは、通常はベッドフレームを折り畳み可能にしておき、水平なベッド面に使用者が仰臥している状態から、腰位置は上げず膝と頭を上げる動きを与えるように構成されていることが多い。なおこの機能の中で膝部分を持ち上げる機能を「脚上げ機能」、上体を起こす機能を「背上げ機能」と呼んでいる。脚上げ機能自体は、背上げをしたときに身体が足の方にずれてしまうのを防ぐための機能であり、割愛されているものも少なくない。そしてこうした動きをベッドが有するということは、体重を受ける体躯位置が変わるので療養ベッドの場合であれば床ずれが防止できると共に、寝たままの状態から、読書や食事もできるような姿勢まで体位変換ができることになる。
【０００４】
勿論、病人ではなく一般の人が、こうした位置変換機能を有するベッドを使用することもある。例えば、背上げ機能のみを有しており読書やテレビ鑑賞の際のソファ代わりになるベッド、或いは、背筋を伸ばすような位置変換を行うベッド、マットレス部分全体を傾斜させるベッド、等々である。
【０００５】
一方、仰臥時の基本的な姿勢（就寝中の姿勢）は水平であるよりも、つま先の方が高い傾斜を有しているのが好ましいという声がある。それによると一般の人は日常生活で直立していることが多く、重力によって血液や身体各部が下方に引かれているため、むくんだりだるさを感じたりすることとなっている。そこで、つま先の方が高い傾斜のベッドで、日常生活において循環が充分でなかった頭部に、足に停滞していた血液を巡らせる、というものである。
【特許文献１】特開平７−４５９号
【特許文献２】特開２０００−３５０６４０
【発明の開示】
【発明が解決しようとする課題】
【０００６】
ところが従来のベッドにおいてはこのように、脚上げする、背上げする、という機能とベッド面のほぼ全体を傾斜させるという機能を併せ持ったものは存在していなかった。またベッド面を傾斜させると使用者にはその傾斜に沿って滑ろうとする力が働き「位置ずれ」を伴いがちであるが、これが解消されておらず、療養ベッドと呼ばれるベッド共通の欠点となっている。
【０００７】
またこの「位置ずれ」は、つま先の方が高い傾斜のベッドの場合、身体は足側ではなく頭側にずれようとする。しかし傾斜タイプのベッドは脚上げ機能を付帯していない。従って、自らは体位変換の不可能な者は使用しづらいものであったし、傾斜角度を例えば２０度程度あるいはそれ以上に設定することはほぼ不可能であった。
また、こうした現況から、伸展した仰臥姿勢から食事ができる状態（上体を起こした状態）に移行させる際も、或いは、水平位置からつま先が高くなっている傾斜状態に移行させる際も、位置ずれによる不快感を使用者に与えず、また療養ベッドの場合であれば介護者の手も煩わせないベッドの開発が待たれていた。
【０００８】
ところで本発明者は、既述した「つま先が高く頭部が低い」という姿勢は実は理想的なものではないこと、そして、頭部については心臓位置よりも上にある方が血流の回復には効果的であることを発見した。即ち、本発明者が描く理想的な姿勢というものは、図６に示す如く、心臓の位置が最も低くなり、心臓より下方に関してはつま先までまっすぐになるような姿勢である。この姿勢は、例えば平坦な傾斜面の低い方に頭部があるような姿勢よりも血流の回復には適している。
【０００９】
そもそも体全体に循環させるべく「血液」を移動させる際の駆動源となる器官は、唯一「心臓」である。拍動で加圧された血液を血管内に送り込む動脈と、拍動で減圧されて血管内の血液を引き込む静脈とで概ね成り立つものである。循環の効率は、１回の拍動で送り出される血液の量と、上下流の圧力差に依存する。従って心臓の位置を最も低くすると、動脈に関しては上流が低く、静脈に関しては下流が低くなるので、重力の作用によって静脈中の血液は心臓に注がれやすくなり、動脈中に血液が送り込まれる際、血管内の血液は少なくなっているため血管は膨張しておらず下流側の圧力はより小さくなるので圧力差の大きいものとなる。
なお、日常生活では人間は直立していることが多いので、血液が下方に溜まりやすくなりむくみやだるさの一因となる、そこで直立とは逆の位置とすることでこれらを解消することができる、という発想の下で提供されている「逆立ち健康法」などと呼ばれる健康法がある。
しかし本発明者はここで取り上げられている理論には、頭と足の「間」（頭より低く足より高い位置）に、ポンプであるところの心臓が配されているという事情が勘案されていないと考える。頭・顔・頸といった心臓よりも上に位置する部位を心臓よりも低い位置に持ってくると、これらの部位で血液の貯留量は増えるがそれゆえ圧力も高くなって心臓拍動によるポンプ効果は上げにくくなり、循環しにくくなる。足のむくみを取るのは、足に大量の血液を停滞させることではなく活発な血液循環によるという理論は、頭・顔・頸といった心臓よりも上に位置する部位についても言えることであり、その意味で従来の「逆立ち健康法」は、心臓よりも下の部位に関しては正しく、上の部位に関しては間違っていることになる。従って、ベッド面全体が傾斜してしまうベッドでは本発明者の望む姿勢が得られないことになる。
【課題を解決するための手段】
【００１０】
以上のような現状に鑑み、本発明者は長年鋭意研究の結果遂に本発明を成したものであり、その特徴とするところは、第一の発明は、頭位置、つま先位置に比して心臓位置を低くすることを目的とするものであって、仰向けになった時つま先側が上がるように傾斜させることができる傾斜部分があり、該傾斜部分が全体長さの２／３以上４／５以下である点に、第二の発明は、基台と、該基台上に設置され体位変換を目的に幅方向に沿って三以上に分割されたフレーム体を具備するベッドにおいて、該分割されたフレーム体同士の連結箇所の一つの下部或いはその近傍位置である第一箇所と、該基台上にあって該第一箇所と高さのほぼ等しい第二箇所とが、主杆体を介してそれぞれ可回動に連結されており、且つ該第一箇所と、該第一箇所よりも高さ位置が低く該基台の長手方向に配置され該基台に固定されたレール上を摺動可能なローラーとをそれぞれ可回動に連結するスライド杆体が配置され、更に該ローラーを該レールに沿って前後動させる駆動体が設けられており、また該スライド杆体は折曲点を有する「へ」字状のものであって、該第一箇所との連結部はこの折曲点近傍であり、該第一箇所を折曲点として延出する部分である該スライド杆体のレバー部は、主杆体が水平位置にあるとき下方向に傾斜しており、該ローラーを移動させて該レバー部が該主杆体よりも上方に位置する段階以降は、該フレーム体の一つに接しその傾斜角度を変更させるものである点にある。
【００１１】
第一の発明は、仰向けになった時つま先側が上がるように傾斜させることができる傾斜部分があり、該傾斜部分が全体長さの２／３以上４／５以下である、という構造のベッドである。この「全体長さ」は、寝台として機能する部分の長さであって、ランプや収納棚等を付帯したベッドにあってはそれら付帯部分を除いた部分の長さのことを言う。これはベッド上に配置されるマットレスの長さと大抵は等しい。
この全体長さの２／３以上４／５以下の長さ部分が傾斜部となる。４／５以上が傾斜してしまうと傾斜部以外の部分の長さが短くなりすぎて心臓位置を最下端にするのが窮屈となるし、２／３以下の長さとすると頭の上が空きすぎる。そして、２／３以上４／５以下という範囲の長さは視覚的にも、傾斜部分以外の部分が無視できない長さで存在しているにもかかわらず、通常の折曲ベッドのように腰を当てるには不適当な位置から傾斜が始まっているという印象を与える。
【００１２】
またこの傾斜部分は、仰向けになった時つま先側が上がるように傾斜させることができる部分ではあるが、平坦状態のまま傾斜するものに限るものではない。例えば、水平状態から傾斜させてゆく際に、心臓位置から膝までの部分だけをまず傾斜させつま先をほとんど上げないように、膝部分で折曲可能に回動すべく二つに分割されたフレーム体によって傾斜部分を形成しても良い。このようにすると、傾斜してゆくに従って体躯が滑ってゆくのを防止することができる。
【００１３】
次に第二の発明に関して述べると、「基台」とは、マットレスやフレーム体（後述）を支持するものであって枠構造を採っている。通常は矩形に構成した枠材であるが、これにキャスター付きの脚を設けたり、柵を設けるようにしても良い。
【００１４】
第二発明において「フレーム体」は、基台上に設置される部材であって、三つ以上に分割されている。この分割によって使用者の体位は、水平位から脚上げ、背上げの姿勢に変換できることになる。なお、脚上げと背上げのみをするのであれば「三分割」で足りるが、一つの折曲箇所を頸や背中用として利用する場合と腰用として利用する場合とでは、必要とするフレーム体の長さが違うので、一方の端部のフレーム体の一部が取り外し可能であって、これを取り外して他方の端部に取り付けることができるようにすると便利である。このようにフレーム体の一部を取り外して他の端部に連結するという場合、全体長さは変わらないので、マットレスについてはずらしてやるだけで対応でき、分割しておく必要はない。当然この場合にはフレーム体は四以上に分割されていることになる。
【００１５】
また三以上に分割されたフレーム体は、少なくとも一箇所で連結されている。この連結箇所は、脚上げの際に膝を折曲させる部分である。他の箇所も連結されていて良いが、全て連結した場合には、膝折曲に伴う位置ずれが隣の折曲箇所に波及し使用者に不快感を与えがちであるので、フレーム体を一部独立させ、この位置ずれを吸収する部分を設けると好適である。
【００１６】
第二発明において「脚上げ」、即ち膝を持ち上げるためにフレーム体同士の連結箇所を押し上げるという動きは、基台上に一端が可回動に固定された「杆体」（テコ部材）を回動させ、水平位置から角度が大きくなるにつれて該杆体の他端が高さを変えることを利用したものであって、この他端部を該連結箇所近傍に可回動に連結することで達成される。この杆体を「主杆体」と呼ぶ。
【００１７】
なお本発明においては、膝関節を折り曲げ大腿と下腿をそれぞれ逆方向に傾斜させただけでは折曲運動は完了していない。膝関節を折曲した後、大腿の傾斜に近づけるように下腿側を回動させる、という動きを経て使用者につま先上がりの傾斜を与えることになる。この動きを与える部材が「スライド杆体」である。スライド杆体は概ね「へ」字状の部材である。「へ」字状とは二線分が一つの折曲点で接合したものであることを意味するが、実際の部材は幅のあるものであるので、折曲している「点」は厳密なものではない。
スライド杆体とフレーム体も連結されているが、連結されているフレーム体は、主杆体が連結されているフレーム体であり、且つ該フレーム体の連結箇所も同一である。そしてスライド杆体の折曲点が連結箇所となっている。
【００１８】
スライド杆体の一端は、ベッド基台に、その長手方向に配置された「レール」を摺動する「ローラー」に連結されている。このレールは、ローラーの水平前後動を案内すると同時に移動幅を規制するためのものである。レール及びローラーの構造に関しては特に限定しない。但し、レールの取り付け位置は、フレーム体との連結箇所よりも低くする。
【００１９】
ローラーの前後動には駆動体が必要である。その詳細については特に限定するものではない。従来の療養ベッドの場合と同様で良く、モーターを伴うエアーシリンダー（又は油圧シリンダー）が最も一般的である。その場合のモーター駆動は、スイッチ操作によって行うこととなるが、このスイッチの構造についても限定しない。上記ローラーによって位置変換されるフレーム体の位置は、基本的には「水平位」と「膝屈曲位」と「傾斜位」ということになる。これら三種の位置を選択するような方式でも良いが、これらの中間位で停止固定させることができるようにしても良い。
【００２０】
また、上記ローラーの前後動に直接関係しない他のフレーム体の挙動に関しては、他の駆動体を用いて（或いは手動で）その位置変換を行うものであるが、これに関しても特には限定しない。但し既述したように、通常の日常生活を送る者が、日常生活下における血流の停滞に起因するだるさやむくみを解消するために、「心臓」の位置が最も低くなるように頭部や下肢を傾斜させるために本発明ベッドを用いる場合には、頭部の傾斜を担当するフレーム体の傾斜機構はこの目的に適ったものである必要がある。また、「心臓」を谷部とするという姿勢は、時間としては１０〜２０分程度で充分であるので、タイマーを内蔵させ一定時間経過後は、水平位置に戻すといった機能を付帯させるとより好適なものとなる。
【００２１】
更に、「心臓」位置が谷部分になるようにするという形態は、一般的な療養ベッドの場合、「膝」「腰」の位置で折曲されるように作られており、それに即して各フレーム体のサイズが設定されているので、これを利用して上記「心臓」位置が谷部分になるような体位をとることはできないし、「膝」「腰」以外に「頸部」でも折曲させることができるものもあるが、それとて「心臓」位置が谷部分になるようにはなりにくい。
【００２２】
そこで本発明者は、膝を伸ばした姿勢で「心臓」位置で折曲させる場合には、単にこれまで「腰」の位置にあった部分に心臓の位置がくるように身体の位置をずらせば良いわけであるので、下腿（膝からつま先にかけての部分）を支持するフレーム体の端部を一部取り外し可能とし、取り外したものを反対側（頭部側）に取設可能としておくと、通常の療養ベッドと併用しやすいものとなる。
【発明の効果】
【００２３】
本発明に係るベッドは、以下述べる如き効果を有する。
（１）  ベッド基台内に配置されたローラーを移動させると、当該ローラーの一方向への移動で、基台上のフレーム体、マット体、更にはその上に寝る使用者の、最初は膝部分だけが持ち上がり、続いてつま先部分が持ち上がるという動きをするので、駆動機構がシンプルなものとなる。
（２）  心臓位置が最も低く、ここを谷部として身体を傾斜させる姿勢をとらせることが容易である。
【発明を実施するための最良の形態】
【００２４】
以下図面に基づいて本発明をより詳細に説明する。
【実施例１】
【００２５】
図１（ａ）（ｂ）は、本発明に係るベッド１（以下「本発明ベッド１」という）の一例を示すものであり、図より明らかなように本発明ベッド１は、通常は同図（ａ）の如く水平であるが、支点部８を軸に一方側が同図（ｂ）の如く傾斜する構造となっている。この傾斜部分９は、全体長さＬの約３／４を占めている。人Ｍは、下半身側が傾斜するようにまた心臓がほぼ支点部８の真上にくるように仰向けに寝る。この状態で傾斜部分９が傾斜すると、当然人Ｍの心臓の位置は低くなり、全体長さＬの約１／４の長さ部分に肩や頸、頭などが乗ることになる。そこで枕Ｐを用いると、頭の高さは心臓の位置よりも高くなり人Ｍの体躯は心臓位置を谷部とするＶ字形となる。
【００２６】
なおこの傾斜部分９は、図１の如くそれ自体は平坦である構造であっても良いが、傾斜角度が２０度程度になると傾斜部分３が常時平坦であると、傾斜させてゆく段階で身体が滑ってしまいやすくなる。そこで、図２の如くベッド端部に衝立部１０を設け、傾斜させる際にはここに頭を接触させておくと身体の滑りが防止できる。
【実施例２】
【００２７】
次に図３は本発明ベッド１の他の一例を示すものであり、図より明らかなように本発明ベッド１は、鉄製矩形フレームより成る基台２と、三つのフレーム体３１、３２、３３より構成されるフレーム体３と、マットレス４を有している。各フレーム体３１、３２、３３は、全体として水平な面を形成することも、図の如くフレーム体３１と３２とで山を形成し３２と３３で谷を形成するように位置変換することも、或いは３２と３３とで谷を形成するが３１と３２は傾斜した一つの平面を形成するように位置変換することも可能である。
【００２８】
図４は、上記フレーム体の位置変換についての機構を明らかにするためのものであり、フレーム体３、マットレス４等を描出していない。また、フレーム体３１、３２との連結機構も図示を省略している。なおフレーム体３３は、身体の頭部側を載置させておく部材であり、本例ベッドでは頭を持ち上げるような機構も具備しているが、睡眠の際には枕を使用するわけであるから代用することも当然容易であり、その意味ではフレーム体３３が位置変換機構を付帯していないものも採用可能である。
【００２９】
図より明らかなように、これらの位置変換機構は概ね基台２内に格納されており、該基台２自体には二種のレバーが基台２の左右に一対ずつ取り付けられている。一つは、基台２端部側に固定されるブラケット５１に可回動に取設される主杆体５である。この回動軸Ａは基台２の天面よりも突出した位置になるよう設定されている。
【００３０】
他の一つは、基台２に固定されたレール６１上を滑動するローラー６２に取設されるスライド杆体６である。レール６１は、基台２を構成する鉄製フレームに、水平に固定されており、ここを滑動するローラー６２の中心軸の高さは、ブラケット５１にある主杆体５の回動軸よりも低い位置となっている。またこのスライド杆体６は、「へ」字状のものである。即ち、一箇所の折曲点を有するものであるが、その折曲角度については特に限定しない。折れ曲がりの度合いが小さいと、膝は上がっているがつま先は上がっていないという状態が少なくなるので、各部材の長さや位置関係などを考慮し適当な角度を採用すれば良い。本例では挟角約１２０度のものを示している。
【００３１】
主杆体５の自由端とスライド杆体６の折曲点は、フレーム体３１下部の一箇所Ｃに、それぞれ可回動に連結されている。この回動軸Ｃはフレーム体３２に極く近い部分であり、またフレーム体３１と３２は可回動に連結されている。そして、スライド杆体６同士を連結する横軸体６３をレバー６４を介して前後動させるエアーシリンダー７が配置されている。なお該エアーシリンダー７を駆動させるモーターなどは描出を省略している。
【００３２】
図５（ａ）（ｂ）（ｃ）は、位置変換の機構を概略的に示すものであり、同図（ａ）はフレーム体３１が基台２に近接し水平になっている状態、同図（ｂ）はフレーム体３１が傾斜しているものの主杆体５とは近接している状態、同図（ｃ）はフレーム体３１が主杆体５に対して回動している状態をそれぞれ示している。同図（ａ）の姿勢から（ｂ）の状態を経て（ｃ）の状態まで移行させるのは、エアーシリンダー７の押圧によってローラー６２を、レール６１のＢ１位置からＢ３位置まで移動させるという動きだけである。
【００３３】
主杆体５が水平な状態、即ち同図（ａ）の状態にあるとき、点Ｃと点Ｂ１とを結ぶ直線は右下がりになっており、またスライド杆体６の自由端側アーム６５は主杆体５の下方にあってフレーム体３１の位置変換に関与していない。そしてこの状態では各部材のいずれにも何ら外力が加えられていない。
【００３４】
外力を加え、ローラー６２を右方に移動させると点Ｃは点Ａを中心に回動を始め、同図（ｂ）の如く点Ｃの位置は高くなってゆく。即ち、膝を折ってゆくという動作が開始される。このときスライド杆体６の自由端側アーム６５と主杆体５の成す角度は次第に小さくなってゆく。そして該自由端側アーム６５と主杆体５の成す角度が０、即ち重なってしまうという状態以降は、該自由端側アーム６５が主杆体５を追い越し、その段階では同図（ｃ）の如くフレーム体３１は主杆体５から離れ自由端側アーム６５に依存する形でつま先上がりの回動をしていることになる。
【図面の簡単な説明】
【００３５】
【図１】（ａ）（ｂ）は、本発明に係るベッドの一例を示す概略側面図である。
【図２】本発明に係るベッドの他の一例を示す概略側面図である。
【図３】本発明に係るベッドの更に他の一例を示す概略断面図である。
【図４】本発明に係るベッドからマットレスを取り払った状態を示す概略斜視図である。
【図５】（ａ）（ｂ）（ｃ）は、本発明に係るベッドの位置変換の方法を経時的に示す概略側面図である。
【図６】心臓の位置が最も低くなる姿勢を示す側面図である。
【符号の説明】
【００３６】
１    本発明に係るベッド
２    基台
３    フレーム体
３１  フレーム体
３２  フレーム体
３３  フレーム体
４    マットレス
５    主杆体
５１  ブラケット
６    スライド杆体
６１  レール
６２  ローラー
６３  横軸体
６４  レバー
６５  自由端側アーム
７    エアーシリンダー
８    支点部
９    傾斜部分
１０  衝立部
Ａ    主杆体回動軸
Ｂ１  ローラー位置
Ｂ２  ローラー位置
Ｂ３  ローラー位置
Ｃ    フレーム体回動軸
Ｍ    人
Ｐ    枕
【図１】
0004698999.tif 000002
【図２】
0004698999.tif 000003
【図３】
0004698999.tif 000004
【図４】
0004698999.tif 000005
【図５】
0004698999.tif 000006
【図６】
0004698999.tif 000007